(57)【要約】【課題】ダウンショットリグのソフトルアー用釣り針において、高度な操作技術を要さずにソフトルアーに効果的なアクションを与えられるようにする。【解決手段】軸部２Ａと、軸部２Ａ末端から続く湾曲部３と、湾曲部３末端から続く針先部６と、ラインを締結するための略環状構造を有するライン締結部とを備え、鋼線を屈曲してなるダウンショットリグのソフトルアー用釣り針１Ａにおいて、リール側からの主ライン１０ａを締結する主ライン締結部５Ａと末端側に錘を接続した錘ライン１０ｂを締結する錘ライン締結部４の二つのライン締結部を備えており、錘ライン締結部４が軸部２Ａの基端に設けられ、錘ライン締結部４から所定間隔おいた軸部２Ａ上に主ライン締結部５Ａが設けられていることを特徴とするものとした。【選択図】図１
0003123998.tif 000002
【実用新案登録請求の範囲】
【請求項１】
軸部と、該軸部末端から続く湾曲部と、該湾曲部末端から続く針先部と、ラインを締結するための略環状構造を有するライン締結部とを備え、鋼線を屈曲してなるダウンショットリグのソフトルアー用釣り針において、
リール側からの主ラインを締結する主ライン締結部と、末端側に錘を接続した錘ラインを締結する錘ライン締結部の二つの前記ライン締結部を備えており、前記錘ライン締結部が前記軸部の基端に設けられ、該錘ライン締結部から所定間隔おいた前記軸部上に前記主ライン締結部が設けられている、
ことを特徴とするソフトルアー用釣り針。
【請求項２】
前記主ライン締結部は、前記軸部を構成する前記鋼線を前記針先部のある側に逆Ｕ字状またはΩ字状に屈曲させて突出してなるものとされている、ことを特徴とする請求項１に記載したソフトルアー用釣り針。
【請求項３】
前記錘ライン締結部の締結位置から前記主ライン締結部の締結位置までの長さが、少なくとも前記軸部全長の４分の１以上であることを特徴とする請求項１または２に記載したソフトルアー用釣り針。
【請求項４】
錘位置を固定した状態で前記主ラインと前記錘ラインとが略同一直線上に位置するまで前記主ラインを鉛直方向に引張った場合に、前記軸部末端側が少なくとも水平よりも上向きになる前記軸部の形状とされている、ことを特徴とする請求項１，２または３に記載したソフトルアー用釣り針。
【請求項５】
前記錘ライン締結部は前記軸部を構成する鋼線基端側を略３６０°折り返して該折り返し部をラインアイとされて形成されており、且つ、前記軸部末端側に向いた鋼線の先端を前記主ライン締結部よりも末端側で屈曲させて鈎状構造とされ、該鈎状構造をソフトルアーのヘッドに食い込ませてソフトルアーのズレ防止手段として用いるものとされている、ことを特徴とする請求項１，２，３または４に記載したソフトルアー用釣り針。
【考案の詳細な説明】
【技術分野】
【０００１】
本考案は、ソフトルアー用釣り針に関し、殊に、ルアーフィッシィングにおけるダウンショットリグ方式の仕掛けに用いられ、簡単な操作でソフトルアーに有効なアクションを与えることのできるソフトルアー用釣り針に関する。  
【背景技術】
【０００２】
ルアーフィッシィングの分野において、軟質プラスティックで成型され環虫類やベイトフィッシュ類の外観を模倣したソフトルアーが普及している。ソフトルアーは、水の抵抗や重力で容易に弾性変形・復元し、木材や硬質プラスティック等を形成してなるハードルアーと比べてより生物的な印象を与え、また魚がくわえた感触がやわらかく違和感を与えにくい等の利点を有している。
【０００３】
このソフトルアーは、生物的な動きがなくても釣れる生餌とは異なり、釣り人が積極的に所定のアクションを与えることにより初めて魚が興味を示し捕食すると言われている。そのため、ソフトルアーのテール末端側に水の抵抗を受けることで左右にスイングまたは震動させる構造を設け、ラインを引張るだけの容易な操作で遊泳動作のアクションを与えられるものが開発されている。或いは、このような構造がない所謂ストレート系のソフトルアーであっても、釣り人が巧みなロッド操作を加えることで、あたかも生き物のようなアクションを演出することも可能とされている。
【０００４】
ところで、近年においては図５に示すように、釣り針１Ｆよりも錘２０が下になるダウンショットリグといわれるソフトルアー用の仕掛けが普及している。これは俗に「常吉リグ」とも言われ、ブラックバスフィッシィングの分野で良く釣れる仕掛けとしてポピュラーなものであり、ライン１０の中途に釣り針１Ｆを直接締結することで底からの距離を維持しやすくして根掛かりを減少させることに加え、竿先を動かすことでソフトルアー５０に適当なアクションを与えやすい点を特徴としている。
【０００５】
このようなダウンショットリグ用の釣り針として、特開２００１−１５７５３０号公報に提示され図６に示すような釣り針１Ｇが提案されている。これは、釣り針１Ｇの軸部２Ｇ基端側に、軸部２Ｇに対し直角方向にラインアイ（釣り糸を結ぶ環状構造）４１，５１を二つ連設したもので、図のように釣り針１Ｇの軸部２Ｇを横向きにして針先部側を上にした場合に、主ライン（道糸）１０ａを上側のラインアイ５１に結び、錘ライン（捨て糸）１０ｂを下側のラインアイ４１に結ぶものであり、釣り針１Ｇのラインへの締結作業を容易にしたものである。また、このようにすることで、常に針先部側が上になって魚へのフッキング率が良好となるとともに、ソフトルアー５０を横向きの遊泳姿勢に維持しやすく、アクションが加えやすくなった点を特徴としている。
【０００６】
しかしながら、この釣り針１Ｇを用いる場合を含め、ダウンショットリグにおいてリアルで効果的なアクションをソフトルアーに与えるには高度な熟練が必要であり、釣り人の操作技術のレベルによって釣果に大きな差がつきやすいのが現状である。即ち、図５に示すようにライン１０を単に上下させるだけの技術では、ソフトルアー５０はヘッド側が上下に動いてその反動でテール側が上下にスイングするのみであり、うねり動作や横ぶれ動作など生物的で複雑な動作に乏しく単調なアクションしか表現できない点が問題である。
【特許文献１】特開２００１−１５７５３０号公報
【考案の開示】
【考案が解決しようとする課題】
【０００７】
本考案は、上記のような問題点を解決しようとするものであり、ダウンショットリグのソフトルアー用釣り針において、高度な操作技術を要さずにソフトルアーに効果的なアクションを与えられるようにすることを課題とする。
【課題を解決するための手段】
【０００８】
そこで、本考案は、軸部と、軸部末端から続く湾曲部と、湾曲部末端から続く針先部と、ラインを締結するための略環状構造を有するライン締結部とを備え、鋼線を屈曲してなるダウンショットリグのソフトルアー用釣り針において、リール側からの主ラインを締結する主ライン締結部と末端側に錘を接続した錘ラインを締結する錘ライン締結部の二つのライン締結部を備えており、錘ライン締結部が軸部の基端に設けられ、この錘ライン締結部から所定間隔おいた軸部上に主ライン締結部が設けられていることを特徴とするものとした。
【０００９】
このように、錘ラインを釣り針の軸部基端に締結し、リールからの主ラインをこれから所定距離末端寄りで締結するものとしたことで、主ラインを僅かに上に引いた瞬間に錘ラインが抵抗することによるテコの原理で釣り針の軸部が湾曲部側を大きく持ち上げられる。そのため、ソフトルアー全体が跳ね上げられると同時に水の抵抗で胴体が複雑に動くものとなり、ラインを上下動させるだけの簡単な操作でソフトルアーに生物的で複雑な動きを与えることができる。
【００１０】
また、その主ライン締結部は、軸部を構成する鋼線を針先部のある側に逆Ｕ字状またはΩ字状に屈曲させて突出してなるものとすれば、その先端側に主ラインを締結することで、針先部が常に上側になる状態を維持しやすいものとなって、魚へのフッキング率が高いものとなる。
【００１１】
さらに、上述したソフトルアー用釣り針において、錘ライン締結部の締結位置から主ライン締結部の締結位置までの長さを、少なくとも軸部全長の４分の１以上あるものとすれば、主ラインの引き動作が比較的小さくてもテコの原理による跳ね上げ動作がはっきりとしたものとなる。
【００１２】
さらにまた、上述したソフトルアー用釣り針において、錘位置を固定した状態で主ラインと錘ラインとが略同一直線上に位置するまで主ラインを鉛直方向に引張った場合に、軸部末端側が少なくとも水平よりも上向きになる軸部の形状とすれば、テコの原理による軸部の跳ね上げ動作が充分に大きなものとなり、且つ、リーリング時におけるソフトルアー上面側にかかる水の抵抗でソフトルアーのテール側を左右にスイングしやすいものとなる。
【００１３】
加えて、上述したソフトルアー用釣り針において、錘ライン締結部を軸部を構成する鋼線基端側を略３６０°折り返しその折り返し部をラインアイとして形成し、且つ、軸部末端側に向いた鋼線の先端を主ライン締結部よりも末端側で屈曲させて鈎状構造としこれをソフトルアーのヘッドに食い込ませるソフトルアーのズレ防止手段として用いるものとすれば、使用中に軸部上でソフトルアーがズレ下がり好ましい姿勢を維持できなくなるトラブルを有効に回避することができる。
【考案の効果】
【００１４】
主ラインの締結位置を錘ラインの締結位置よりも軸部の中心寄りとしテコの原理を利用して湾曲部側を跳ね上げるものとした本考案によると、高度な操作技術を要さずにソフトルアーに効果的なアクションを容易に与えることができるものである。
【考案を実施するための最良の形態】
【００１５】
以下に、図面を参照して本考案を実施するための最良の形態を説明する。
【００１６】
図１（Ａ）は、本実施の形態のソフトルアー用の釣り針１Ａの正面図を示し、（Ｂ）はその平面図を示しており、釣り針１Ａはダウンショットリグ方式の仕掛けに用いるためのものである。釣り針１Ａは鋼線を屈曲させるとともに先端を研磨して針先を形成したものであり、軸部２Ａと、その末端から続く湾曲部３と、さらにその末端に続く針先部６とを備えている。
【００１７】
軸部２Ａには、リール側からの主ライン１０ａを締結するためのラインアイを有する主ライン締結部５Ａに加え、末端側に錘を接続した錘ライン１０ｂを締結するためのラインアイを有する錘ライン締結部４を備えており、錘ライン締結部４が軸部２Ａの基端に設けられ、主ライン締結部５Ａが錘ライン締結部４から軸部２Ａ上で末端側に向かって所定間隔を置いて設けられている点が、本考案の特徴部分となっている。
【００１８】
主ライン締結部５Ａは、湾曲部３の湾曲方向に沿う側に軸部２Ａを構成する鋼線を逆Ｕ字状に突出するように屈曲させることで設けられており、軸部２Ａにおいて錘ライン締結部４の錘ライン１０ｂの締結位置と主ライン締結部５Ａの締結位置との長さａが、軸部２Ａの全長ｂの４分の１以上の長さを有している。
【００１９】
また、軸部２Ａにおける錘ライン締結部４から主ライン締結部５Ａまでの部分に対し、主ライン締結部５Ａから末端側の部分が湾曲部３の湾曲方法とは逆向き方向に僅かに屈曲している。尚、主ライン締結部５Ａは逆Ｕ字状に鋼線を屈曲してなるものとしたが、Ω字状に屈曲させてラインアイを丸く形成してもよく、また、軸部２Ａの鋼線を屈曲させることなく、その鋼線側面に環状の金属部材を接着して設けても同様である。
【００２０】
次に、本実施の形態の釣り針１Ａの作用を説明する。図２（Ａ）は、釣り針１Ａを用いたダウンショットリグを作成して水中に投入した場合に、錘２０が着底した状態で竿先が撓らない程度に主ライン１０ａの糸ふけを取った状態を示している。このとき、水よりも僅かに比重の重いソフトルアー５０を釣り針１Ａに着けていることで、釣り針１Ａの湾曲部３側がやや下向きになり、ソフトルアー５０のテール側が垂れ下がっている。
【００２１】
このままではソフトルアー５０に動きがないため、魚に対するアピールは殆どない。そこで、釣り人が竿先を僅かに上げる動作をすると、図２（Ｂ）に示すように、錘２０の重さで錘ライン１０ｂは動かないが、主ライン１０ａが主ライン締結部５Ａを持ち上げる。そのため、テコの原理により主ライン締結部５Ａの持ち上げ距離の３倍以上の距離・３倍以上の速さで釣り針１Ａの湾曲部３側が持ち上げられ、ソフトルアー５０を跳ね上げる。
【００２２】
このとき、ソフトルアー５０のテール側は水の抵抗で一瞬下向きに撓るが、その後反動で上向きに撓るものであり、蛇行するような動作を起こす。この跳ね上げ動作において、ソフトルアー５０には下向きの水の抵抗が加わるため、水平方向にもぶれが発生し、一層動きが複雑なものとなる。
【００２３】
そして、竿先を下げることで、今度はソフトルアー５０がこれと逆の動作をすることから、前の動作の反動がソフトルアー５０に残っている間隔で連続的に竿先を上下動させることで、ソフトルアー５０には例えば水中のドジョウやミミズのような複雑な動作が加わり、三次元的で目立ちやすいアクションを起こし、魚に対し魅力的なアピールを行うものとなる。従って、初心者の釣り人でも容易にできる簡単な竿先操作でも有効なアクションをソフトルアー５０に与えることができるものである。
【００２４】
図３を参照して、前述の説明では釣り針１Ａを主ライン締結部５Ａから末端側の軸部を図中下向きに僅かに屈曲させた形状とした場合を説明したが、図（Ａ）の釣り針１Ｂように軸部２Ｂが真っ直ぐになるものとしてもよく、図（Ｂ）の釣り針１Ｃように軸部２Ｃさらに大きく屈曲したものとしてもよい。
【００２５】
この場合、図４に示すように、錘側を固定した状態で主ライン１０ａと錘ライン１０ｂとが同一直線上になるように鉛直方向に主ライン１０ａを強く引いたときに、軸部２Ａ末端側の向きが水平よりも上向きになるような構造とすることで、上述の跳ね上げ動作を行いやすいものとすることができる。また、このようにすることで、単にリーリングするだけの主ライン１０ａの引張り動作でソフトルアー５０の上面側に水の抵抗を受けるようになるため、テール側を左右にスイングする遊泳動作を表現することができる。
【００２６】
尚、図３（Ｃ）に示すように、軸部２Ｄにクランク形状を設けたオフセット式の釣り針１Ｄとすれば、装着したソフトルアーが軸部２Ｄの末端側にずれて下がることを回避しやすくなり、或いは、図３（Ｄ）に示すように錘ライン締結部４Ｂが軸部２Ｅを形成する鋼線を略３６０°屈曲させその屈曲部をラインアイとして形成され、余った鋼線部分の先端を主ライン締結部５Ｅよりも末端側で図中上向きに屈曲させて鈎状構造４５を形成させこれをソフトルアーのヘッドに食い込ませることでも同様のズレ防止効果がある。
【００２７】
以上、述べたように、ダウンショットリグ仕掛けに締結するソフトルアー用釣り針において、テコの原理を利用した本考案により高度な操作技術を要することなく、ソフトルアーに効果的なアクションを与えることができるものであり、初心者でも大きな釣果が期待できるものである。
【図面の簡単な説明】
【００２８】
【図１】（Ａ）は、本考案の実施の形態を示す正面図、（Ｂ）は（Ａ）の釣り針の平面図。
【図２】（Ａ）および（Ｂ）は図１の釣り針の作用を説明するための正面図。
【図３】（Ａ），（Ｂ）は図１の釣り針の軸部において屈曲量を変化させた場合を示す正面図、（Ｃ）は図１の釣り針にオフセット部を設けた場合を示す正面図、（Ｄ）は図１の釣り針にソフトルアーのズレ防止用鈎状構造を設けた場合を示す正面図。
【図４】図３（Ｂ）の釣り針の主ラインと錘ラインとが同一直線上になるまで主ラインを引張った場合の軸部末端側の向きを示す正面図。
【図５】従来例を示す正面図。
【図６】従来例を示す正面図。
【符号の説明】
【００２９】
１Ａ，１Ｂ，１Ｃ，１Ｄ，１Ｅ  釣り針、２Ａ，２Ｂ，２Ｃ，２Ｄ，２Ｅ  軸部、３  湾曲部、４，４Ｂ  錘ライン締結部、５Ａ，５Ｂ，５Ｅ  主ライン締結部、６  針先部、１０ａ  主ライン、１０ｂ  錘ライン、２０  錘、４５  鈎状構造、５０  ソフトルアー
【図１】
0003123998.tif 000003
【図２】
0003123998.tif 000004
【図３】
0003123998.tif 000005
【図４】
0003123998.tif 000006
【図５】
0003123998.tif 000007
【図６】
0003123998.tif 000008